(57)【要約】【課題】オーバーフロー水槽の周囲に給水用パイプのためのスペースと排水用パイプのためのスペースを少なし、給水量と排水量が平衡状態を保つために排水用パイプの径、高さ等を調整する方法とサイフォン作用を開始、復旧するまでの手間を簡便にするとともに、水面付近に給水を流出させ、かつ水槽内の水位を調整できるようにする。【解決手段】水槽内に供給される水を通す複数のパイプを伸縮自在のチューブを介在させて構成される給水用パイプと、水槽内から排水される水を通しサイフォン管として機能する複数のパイプを伸縮自在のチューブを介在させて構成される排水用パイプと、前記給水用パイプと排水用パイプとを接続するバイパスチューブとを備え、排水用パイプ内の空気を給水用パイプ内の水流を利用して給水用パイプ側に引き込むことにより、排水用パイプのサイフォン作用を開始、復旧させる。【選択図】図１
0003154478.tif 000002
【実用新案登録請求の範囲】
【請求項１】
水槽内に供給される水を通す給水用パイプと、水槽内から排水される水を通しサイフォン管として機能する排水用パイプと、前記給水用パイプと排水用パイプとを接続するバイパスチューブとを備え、前記給水用パイプを流れ水槽内に供給される水の勢いを利用して、前記排水用パイプ内の空気を、前記バイパスチューブを通じて給水用パイプに引き込み、排水用パイプ内を真空にすることにより、前記排水用パイプのサイフォン作用を開始または復旧させることを特徴とするオーバーフロー装置。
【請求項２】
前記給水用パイプは、一端が給水ポンプ側に接続される第１の給水用パイプと、一端が前記第１の給水用パイプの他端に接続される伸縮自在の給水用チューブと、一端が前記給水用チューブの他端に接続され水槽内への給水流出口を具備する第２の給水用パイプとから構成され、前記排水用パイプは、排水吸込口と、一端が前記排水吸込口に接続される第１の排水用パイプと、一端が前記第１の排水用パイプの他端に接続される伸縮自在の第１の排水用チューブと、一端が前記第１の排水用チューブの他端に接続される第２の排水用パイプと、一端が前記第２の排水用パイプの他端に接続される伸縮自在の第２の排水用チューブと、一端が前記第２の排水用チューブの他端に接続され排水流出口を具備する第３の排水用パイプとから構成され、前記バイパスチューブは、前記第１の給水用パイプと前記第２の排水用パイプとに接続されることを特徴とする請求項１に記載のオーバーフロー装置。
【請求項３】
前記排水吸込口が櫛形であることを特徴とする請求項２に記載のオーバーフロー装置。
【請求項４】
前記給水用チューブ、第１の排水用チューブ及び第２の排水用チューブは、これらに挿入する管の挿入深さが調整可能な伸縮性を有することを特徴とする請求項２または請求項３に記載のオーバーフロー装置。
【請求項５】
前記第１の給水用パイプと前記第２の排水用パイプは一体成型により生成されることを特徴とする請求項２乃至請求項４に記載のオーバーフロー装置。
【請求項６】
前記バイパスチューブは前記第１の給水用パイプと前記第２の排水パイプと一体成型により生成されることを特徴とする請求項５に記載のオーバーフロー装置。
【考案の詳細な説明】
【技術分野】
【０００１】
本考案は、水槽の給排水に使用する給排水一体型のオーバーフロー装置に関する。
【背景技術】
【０００２】
従来から、観賞用水槽は、一般的に室内に設置され、この水槽内に、熱帯魚、海水魚、淡水魚などの魚を入れ、飼育しつつ観賞用として使用されている。このような観賞用水槽は、透明なガラスまたはアクリル樹脂からなる側壁を有し、内部に張られた水中に外部からエアポンプを使ってエアを吐出し酸素を補給し、水槽水をウォーターポンプで汲み出し、ろ過器などからなる浄化装置を取り付けて水を浄化し再び水槽内に還流させ、あるいは水槽水中にヒーターを設け内部の水温を調節している。
【０００３】
このような観賞用水槽では、観賞魚の食べ残し、排泄物、老廃物あるいは水槽内に生息するバクテリア等から発生するたんぱく質を放置すると、バクテリアの硝化作用により、最終的に亜硝酸に分解されるが、この亜硝酸は少量であっても、上記観賞魚にとって有害であるため、たんぱく質が分解される前に飼育水中から除去することが望ましく、水槽内の水を新鮮な水に交換する必要がある。
【０００４】
また、メインとなる水槽と補助用の水槽というように２つの水槽を設け、補助用の水槽に汚物を除去するフィルターなどを設け、水が２つの水槽を循環するように給排水設備を設けることにより、水槽内の水の総量が増え結果的に水質を安定させることができる。
【０００５】
そこで、メインとなる水槽内に水を給水し続ける一方で、水槽内の水が水槽の上部枠から溢れる前に排水パイプを通じて排水させるオーバーフロー水槽が利用されている。このようなオーバーフロー水槽の排水に使用するものとして、特許文献１に記載されたようなサイフォン式オーバーフロー装置が知られている。
【０００６】
【特許文献１】特許第３９１２６１２号
【考案の開示】
【考案が解決しようとする課題】
【０００７】
しかし、従来のサイフォン式オーバーフロー装置は、いずれも「排水」するためにサイフォンの原理を用いた排水パイプのみから構成されたものであり、「給水」するための給水用パイプと一体に構成したものはなかった。給水用パイプと排水用パイプが別個に構成された場合、水槽の周囲に給水用パイプのためのスペースと排水用パイプのためのスペースをそれぞれ設けなければならないといった問題があった。
【０００８】
また、従来のサイフォン式オーバーフロー装置は、給水量と排水量が平衡状態を保つために排水用パイプの径、高さ等を調整する手間が煩雑であり、サイフォンの作用が開始、復旧されるまでに時間や手間が掛るといった問題があった。また、従来のサイフォン式オーバーフロー装置は、サイフォン作用の強弱を調整することが容易にできないといった問題があり、さらに、排水吸込口の高さを調整して水槽内の水位を調整することが容易にできないといった問題があった。
【課題を解決するための手段】
【０００９】
上記課題を解決するために、一実施形態に係る本考案のオーバーフロー装置は、水槽内に供給される水を通す給水用パイプと、水槽内から排水される水を通しサイフォン管として機能する排水用パイプと、前記給水用パイプと排水用パイプとを接続するバイパスチューブとを備え、前記給水用パイプを流れ水槽内に供給される水の勢いを利用して、前記排水用パイプ内の空気を、前記バイパスチューブを通じて給水用パイプに引き込み、排水用パイプ内を真空にすることにより、前記排水用パイプのサイフォン作用を開始、復旧させることを特徴としている。
【００１０】
また、一実施形態に係る本考案のオーバーフロー装置は、前記給水用パイプ及び前記排水用パイプをそれぞれ分割されたものを使用し、分割された前記給水パイプ及び前記排水パイプを伸縮性のあるチューブで接続するようにしてもよい。
【考案の効果】
【００１１】
本考案の一実施形態によれば、給水用パイプと排水用パイプを一体化したため少ないスペースでオーバーフロー水槽を実現することが、かつ、給水量と排水量が平衡状態を保つための調整を容易に行うことができるとともに、自動的にサイフォン作用を開始、復旧させることができる。また、本考案の一実施形態によれば、給水用パイプと排水用パイプとが分割され、ビニールチューブにより接続されて形成されるので、各パイプを接続するビニールチューブの長さを調整することにより、サイフォンの始点であるドロップカバー（排水吸込口）からサイフォンの終点である排水接続口（排水流出口）までの長さを変化させることができるので、サイフォン作用の強弱を変化させることができる。さらに、水槽側給水口（給水流出口）の高さとドロップカバー（排水吸込口）の高さを調整することができるので、水面の酸素を含んだ水を水槽内に循環させることができ、かつ、水槽内の水位を調節することができる。さらに、給水用パイプ及び排水用パイプがそれぞれ分割され伸縮性のあるチューブで接続される構成とすることにより、パイプ内に汚物が付着しても容易に掃除することができる。
【考案を実施するための最良の形態】
【００１２】
本考案の一実施形態に係るオーバーフロー装置の排水用パイプは、サイフォンの原理が作用するように形成される。サイフォンとは、隙間のない管を利用して、水などの液体を出発地点から目的地点まで、途中出発地点より高い地点を通って導く装置、あるいは、このメカニズム自体を意味する。水槽内の水を吸水口から流出口に排水パイプを通じて排水させたい場合、単純に吸水口が流出口より高い位置にあれば、重力により自然に排水される。しかし、途中に吸水口より高い地点を越えて流出口に水を排水させるためには、重力では排水することができない。そこで、用いられるのがサイフォンである。
【００１３】
水槽内の水を途中に吸水口より高い地点を越えて流出口に水を排水させるためには、排水の出発地点となる吸水口が排水の目的地点となる流出口より高い位置にあり、何らかの作用で排水パイプ内が水で満たされ排水が開始される必要がある。一旦排水が開始されると、それ以後水槽内の水が吸水口の高さ以上まで満たされている限り、吸水口から流出口まで移動し続ける。
【００１４】
オーバーフロー水槽とは、水槽内に水を給水し続ける一方で、水槽内の水が水槽の上部枠から溢れる前に排水パイプを通じて排水させる水槽のことを意味する。
【００１５】
本考案は、オーバーフロー水槽に使用するためのオーバーフロー装置で、排水にサイフォンを使用するとともに、給水用パイプと排水用パイプとを一体型に構成し、給水用パイプから排水用パイプへ通じるバイパスチューブを設け、給水用パイプを通じて水槽内へ供給される給水の勢いを利用し、排水パイプ内の空気をバイパスチューブから給水用パイプへ引き込み、排水用パイプ内を水槽内から排水される水を引き込み排水で満たすことにより、排水用パイプ内を真空にして排水用パイプのサイフォン作用を開始させるものである。
【００１６】
以下、図面を参照して本考案の望ましい実施形態を詳細に説明する。但し、本考案は多くの異なる態様で実施することが可能であり、以下に示す実施の形態の記載内容に限定して解釈されるものではない。
【００１７】
図１は、本考案の第１の実施形態に係るオーバーフロー装置の正面図である。図２は、本考案の第１の実施形態に係るオーバーフロー装置の背面図である。図３は、本考案の第１の実施形態に係るオーバーフロー装置の右側面図である。図４は、本考案の第１の実施形態に係るオーバーフロー装置の左側面図である。図５は、本考案の第１の実施形態に係るオーバーフロー装置の上面図である。図６は、本考案の第１の実施形態に係るオーバーフロー装置の底面図である。
【００１８】
本考案の第１の実施形態に係るオーバーフロー装置は、大きく分けると水槽へ水を給水するための給水用パイプと水槽から水を排水する排水用パイプと給水用パイプと排水用パイプとを繋ぐバイパスチューブ３０１と排水用パイプへ水槽内の水を取り込むドロップカバー（排水吸込口）１０１とから構成される。
【００１９】
本考案の一実施形態に係るオーバーフロー装置を構成する排水用パイプ及び給水用パイプは、ガラスを使用するが、アクリル樹脂等の樹脂系の素材を使用してもよい。また、本考案の一実施形態に係るオーバーフロー装置を構成する排水用パイプ及び給水用パイプは、それぞれ間にバイパス管を備えて一本の管として形成しても良いが、本実施例においては、パイプ内に汚物が付着したときに容易に洗浄することができるようにするとともに、長さを伸縮できるようにパイプを分割し、樹脂系の素材で伸縮性のあるチューブを用い分割されたパイプを接続するようにした。パイプとパイプとを接続する媒介物として伸縮性のあるチューブを介在させ、チューブの両側に挿入する２つのパイプの挿入長（深さ）を調整することにより、結果的に連続した管の長さを調整することができる。
【００２０】
図１〜図６に示す実施例において、排水用パイプは、ドロップカバー（排水吸込口）１０１、フローパイプ１０２、排水用メインパイプ１０３、ダウンパイプ１０４の各パイプと各パイプの接続用に使用されるフローパイプチューブ４０１とダウンパイプチューブ４０２とから構成される。フローパイプ１０２パイプと排水用メインパイプ１０３とはフローパイプチューブ４０１を介して接続され、ダウンパイプ１０４と排水用メインパイプ１０３とはダウンパイプチューブ４０２を介して接続される。
【００２１】
ダウンパイプ１０４は、その途中から分岐されるように形成された排水接続口（排水流出口）１０６、水槽の上部側壁に引っ掛けるためのＬ型係止部１０７を備え、上部の開口部に着脱可能なサイレンスカバー１０５が取り付けられている。サイレンスカバー１０５は、キャップの役割を果たすものであるが、空気を通すための小さい孔が設けられている。サイレンスカバー１０５は、排水音の防音とサイフォン作用をダウンパイプ１０４内で終了させるために取り付けられるものであり、材質は樹脂系の素材を使用する。また、サイレンスカバー１０５は容易に着脱可能であり、サイレンスカバー１０５を外して、予めダウンパイプ１０４内にサイフォンの呼び水を注ぎ込み、排水接続口（排水流出口）１０６の高さまで呼び水で管内を満たしておく。
【００２２】
なお、フローパイプ１０２は無くてもサイフォン作用に支障はないが、フローパイプチューブ４０１を伸縮させて水槽内の水位を変えられることができ、かつ水面に浮かぶ油膜（有害）やゴミなどを排水とともに除去する役割を果たす。
【００２３】
図１〜図６に示す実施例において、給水用パイプは、給水用メインパイプ２０１とＬパイプ２０２とＬパイプチューブ４０３とから構成される。給水用メインパイプ２０１とＬパイプ２０２とはＬパイプ４０３を介して接続される。
【００２４】
給水用メインパイプ２０１と排水用メインパイプ１０３とは一体に成型されている。また、給水用メインパイプ２０１と排水用メインパイプ１０３には、それぞれ途中から分岐するように形成された突起部３０２、３０３にバイパスチューブ３０１が接続されている。バイパスチューブ３０１は、排水用メインプパイプ内の空気を給水用メインパイプ内の水流を利用して給水パイプ側に引き込む役割を果たす。バイパスチューブ３０１は取り換え可能にするために、本考案に使用する他のチューブと同様に伸縮性のある樹脂系の素材を使用する。しかし、より簡素化するためにバイパスチューブ３０１を使用せずに給水用メインパイプ２０１と排水用メインパイプ１０３とを接続する管を一体として成型してもよい。
【００２５】
図１の正面図及び図２の背面図に示すドロップカバー（排水吸込口）１０１は、水槽内の水面付近の水を取り込む汲水口であり、櫛形の形状をしている。櫛形に成型したのは、水槽内に浮遊する塵埃などが排水パイプに入り込み、排水パイプが詰まらないようにするためである。
【００２６】
ドロップカバー（排水吸込口）１０１から入水した排水は、フローパイプ１０２、排水用メインパイプ１０３、ダウンパイプ１０４に通じ、最終的に図２の背面図に示すダウンパイプ１０４の途中から分岐するように形成された排水接続口（排水流出口）１０６へ流れる。排水接続口（排水流出口）１０６は、図示していないが、さらに排水管に接続される。サイフォンの原理が作用するために、サイフォンの水の流れの出発地点に相当するドロップカバー（排水吸込口）１０１の高さは、サイフォンの水の流れの目的地に相当する排水接続口（排水流出口）１０６よりも高い。ドロップカバー（排水吸込口）１０１の高さは、ドロップカバー（排水吸込口）１０１のフローパイプ１０２に差し込む深さを上下させ、あるいは、フローパイプチューブ４０１に挿入するフローパイプ１０２の挿入深さ変えることにより、調整することができる。同様に排水接続口（排水流出口）１０６の高さは、ダウパイプチューブ４０２に挿入するダウンパイプ１０４の挿入深さを変えることにより、調整することができる。このように、ドロップカバー（排水吸込口）１０１の高さと排水接続口（排水流出口）１０６の高さを調整することにより、サイフォン作用の強弱を変えることが可能となるばかりでなく、水槽内の水位を変えることができる。
【００２７】
図２の背面図に示す給水用メインパイプ２０１の端部（Ｌパイプチューブ４０３を介してＬパイプ２０２に接続される側とは反対側の端部）は、給水接続口（給水吸込口）２０４となっており、図示していない給水管に接続され、図示していないポンプにより供給される水を吸水するための吸込口となっている。水槽内に給水される水は、給水接続口（給水吸込口）２０４から入水し、給水用メインパイプ２０１、Ｌパイプを通じ、最終的に図１の正面図に示す水槽側給水口（給水流出口）２０３へ流れ、水槽内に流出される。
【００２８】
給水用メインパイプ２０１を流れる給水の水流が早いほど、バイパスチューブ３０１を通じて、排水用メインパイプ１０３から空気を引き込む力が強く作用するとともに、続いてフローパイプ１０２内の水を排水用メインパイプ１０３に引き寄せ、さらにメインパイプ１０３を超えてダウンパイプ１０４に引き寄せる力が作用し、サイフォン作用を開始、復旧させる。図１の正面図、図２の背面図及び図５の上面図を用いて説明すると、水槽内に供給される給水は、図示していないポンプの圧力により押し上げられて図２の背面図に図示した給水接続口（給水吸込口）２０４から入水し、図２の背面図及び図５の上面図に図示した給水用メインパイプ２０１の突起部３０２から、図１の正面図及び図５の上面図に図示したＬパイプ２０２の方向に流れる。この流れにより図５の上面図に図示したバイパスチューブ３０１内の空気、さらに、排水用メインパイプ１０３内の空気、フローパイプ１０２内の空気は、給水メインパイプ２０１を流れる給水の流れに引き寄せされＬパイプ２０２を通じて水槽内に流出する。と同時に各パイプ内は真空になり、ドロップカバー（排水吸込口）１０１から入水した排水も引っ張られて、フローパイプ１０２を満たし、排水メインパイプ１０３を満たして、ダウンパイプ１０４に至り排水される流れができる。給水用メインパイプ２０１を流れる給水の水流を早めるためには、給水ポンプの圧力を上げ、あるいは、給水用パイプを構成する給水メインパイプ２０１の管径を細くすることが望ましい。
【００２９】
このように、給水用メインパイプ２０１の水流を早め、バイパスチューブ３０１を通じて排水用メインパイプ１０３から空気を引き込む力を強めるために給水用メインパイプ２０１、Ｌパイプチューブ４０３及びＬパイプ２０２の径は、排水用に使用するドロップカバー１０１、フローパイプ１０２、排水用メインパイプ１０３、ダウンパイプ１０４、フローパイプチューブ４０１及びダウンパイプチューブ４０２の径よりも細いものを使用する。
【００３０】
パイプの接続用に用いるフローパイプチューブ４０１、ダウンパイプチューブ４０２、Ｌパイプチューブ４０３は、その長さを変え、あるいはパイプの挿入長（挿入深さ）を変えることによって、給水用パイプの全体長及び排水用パイプの全体長を調整することができる。また、ダウンパイプ１０４側のダウンパイプチューブ４０２を伸ばし、あるいは、挿入深さを短くすると、排水接続口（排水流出口）１０６の高さが低くなり、サイフォン作用を強くすることができる。また、フローパイプ１０２側のフローパイプチューブ４０１を短くし、あるいは、フローパイプ１０２をフローパイプチューブ４０１に深く挿入すると、サイフォンの水の流れの出発地点に相当するドロップカバー（排水吸込口）１０１の高さが高くなり、サイフォン作用を強く働くようにすることができ、かつ、水槽内の水面を高くすることができる。またこれとは逆にすることも可能である。さらにＬパイプ２０２側のＬパイプチューブ４０３を短くし、あるいは、Ｌパイプ２０２をＬパイプチューブ４０３に深く挿入することにより、水槽側給水口（給水流出口）２０３を高くすることができ、水面近くに給水を当てれば水面の酸素を多く含んだ水を水槽内に循環させることができる。
【００３１】
給水用メインパイプ２０１の途中から分岐されるように形成された突起部３０２には、バイパスチューブ３０１が接続され、バイパスチューブ３０１は、さらに給水用メインパイプ１０３の途中から分岐されるように形成された突起部３０３に接続される。このようにして水槽内へ供給される給水の勢いを利用して、排水用パイプ内の空気を、バイパスチューブ３０１を通じて給水用パイプへと引き込み、排水パイプ内の空気を無くして排水で満たすことにより、排水用パイプのサイフォン作用を開始、復旧させるものである。
【００３２】
以上に記載したように、本考案の一実施形態によれば、給水用パイプと排水用パイプを一体化したため少ないスペースでオーバーフロー水槽を実現することが、かつ、給水量と排水量が平衡状態を保つための調整を容易に行うことができるとともに、自動的にサイフォン作用を開始、復旧させることができる。また、各チューブの長さを調節し、あるいは、チューブに挿入するパイプの深さを調整することによってサイフォン力を調整すること可能となり、また、水面付近に給水し酸素を含んだ水を水槽内へ循環させることが可能となり、さらに水槽内の水位を調節することも可能となる。
【図面の簡単な説明】
【００３３】
【図１】本考案の第１の実施形態に係るオーバーフロー装置の正面図。
【図２】本考案の第１の実施形態に係るオーバーフロー装置の背面図。
【図３】本考案の第１の実施形態に係るオーバーフロー装置の右側面図。
【図４】本考案の第１の実施形態に係るオーバーフロー装置の左側面図。
【図５】本考案の第１の実施形態に係るオーバーフロー装置の上面図。
【図６】本考案の第１の実施形態に係るオーバーフロー装置の底面図。
【符号の説明】
【００３４】
１０１  ドロップカバー（排水吸込口）
１０２  フローパイプ（第１の排水用パイプ）
１０３  排水用メインパイプ（第２の排水用パイプ）
１０４  ダウンパイプ（第３の排水用パイプ）
１０５  サイレンスカバー
１０６  排水接続口（排水流出口）
１０７  Ｌ型係止部
２０１  給水用メインパイプ（第１の給水用パイプ）
２０２  Ｌパイプ（第２の給水用パイプ）
２０３  水槽側給水口（給水流出口）
２０４  給水接続口（給水吸込口）
３０１  バイパスチューブ
３０２、３０３  突起部
４０１  フローパイプチューブ（第１の排水用チューブ）
４０２  ダウンパイプチューブ（第２の排水用チューブ）
４０３  Ｌパイプチューブ（給水用チューブ）
【図１】
0003154478.tif 000003
【図２】
0003154478.tif 000004
【図３】
0003154478.tif 000005
【図４】
0003154478.tif 000006
【図５】
0003154478.tif 000007
【図６】
0003154478.tif 000008
【手続補正書】
【提出日】平成21年8月5日(2009.8.5)
【手続補正１】
【補正対象書類名】実用新案登録請求の範囲
【補正対象項目名】請求項５
【補正方法】変更
【補正の内容】
【請求項５】
前記第１の給水用パイプと前記第２の排水用パイプは一体成型により生成されることを特徴とする請求項２乃至請求項４のいずれか１項に記載のオーバーフロー装置
【手続補正２】
【補正対象書類名】図面
【補正対象項目名】図１
【補正方法】変更
【補正の内容】
【図１】
0003154478.tif 000009
【手続補正３】
【補正対象書類名】図面
【補正対象項目名】図３
【補正方法】変更
【補正の内容】
【図３】
0003154478.tif 000010
【手続補正４】
【補正対象書類名】図面
【補正対象項目名】図６
【補正方法】変更
【補正の内容】
【図６】
0003154478.tif 000011